(57)【要約】【課題】複数のページを有する原稿のコピーを、無駄なコストの発生を抑制しつつ効率よく行えるようにする。【解決手段】画像処理装置１は、入力部１４と、読取部１５と、印刷部１６と、制御部１１とを備える。制御部１１は、読取予定ページ枚数を取得する。制御部１１は、入力部１４を介して読取要求が入力されることに応じて読取部１５により原稿の画像を読み取り、その読み取った原稿のページ枚数を計数する。制御部１１は、印刷要求が取得された場合に、計数されているページ枚数が読取予定ページ枚数に一致しているとき、読み取った画像を印刷部１６により印刷する。【選択図】図１
2020053938.tif 000002
【特許請求の範囲】
【請求項１】
入力部と、
原稿の画像を読み取る構成からなる読取部と、
画像を印刷する構成からなる印刷部と、
制御部と、
を備えた画像処理装置であって、
前記制御部は、
読取予定ページ枚数を取得する読取予定取得処理と、
前記入力部を介して読取要求が入力されることに応じて前記読取部により前記原稿の画像を読み取る読取処理と、
前記読取処理により読み取られた前記原稿のページ枚数を示す読取済ページ枚数を計数する計数処理と、
前記入力部を介して印刷要求を取得する印刷要求取得処理と、
前記印刷要求取得処理により前記印刷要求が取得された場合に、前記計数処理により計数されている前記読取済ページ枚数が、前記読取予定取得処理により取得された前記読取予定ページ枚数に一致しているとき、前記読取処理により読み取られた前記画像を前記印刷部により印刷する印刷処理と、
を実行する画像処理装置。
【請求項２】
請求項１に記載の画像処理装置であって、
前記制御部は、さらに、
前記印刷要求取得処理により前記印刷要求が取得された場合に、前記計数処理により計数されている前記読取済ページ枚数が、前記読取予定取得処理により取得された前記読取予定ページ枚数よりも少ないとき、特定の不足情報を出力する不足情報出力処理、
を実行する画像処理装置。
【請求項３】
請求項１又は請求項２に記載の画像処理装置であって、
前記制御部は、さらに、
前記読取要求が入力された場合に、前記計数処理により計数されている前記読取済ページ枚数が前記読取予定取得処理により取得された前記読取予定ページ枚数以上であるとき、特定の過剰情報を出力する過剰情報出力処理、
を実行する画像処理装置。
【請求項４】
請求項１〜請求項３のいずれか１項に記載の画像処理装置であって、
さらに、表示部を備え、
前記制御部は、さらに、
前記入力部を介してプレビュー要求を取得するプレビュー要求取得処理と、
前記プレビュー要求取得処理により前記プレビュー要求が取得された場合、前記読取処理により読み取られた前記画像を前記表示部に表示するプレビュー処理と、
を実行する画像処理装置。
【請求項５】
請求項１〜請求項４のいずれか１項に記載の画像処理装置であって、
さらに、表示部を備え、
前記制御部は、さらに、前記読取予定ページ枚数と前記読取済ページ枚数とを同時に前記表示部に表示させるページ枚数表示処理を実行する、画像処理装置。
【請求項６】
請求項１〜請求項５のいずれか１項に記載の画像処理装置であって、
前記原稿は、パスポートであり、
前記読取予定取得処理は、前記パスポートのページ枚数に応じた前記読取予定ページ枚数を取得する処理を含む、
画像処理装置。
【請求項７】
請求項６に記載の画像処理装置であって、
前記制御部は、さらに、前記パスポートの国籍を取得する国籍取得処理を実行し、
前記読取予定取得処理は、
前記国籍取得処理により取得された前記国籍に基づいて前記パスポートのページ枚数を取得する第１取得処理と、
前記第１取得処理により取得された前記ページ枚数に基づいて前記読取予定ページ枚数を取得する第２取得処理と、
を含む、画像処理装置。
【請求項８】
請求項７に記載の画像処理装置であって、
前記パスポートは、
前記パスポートに対応した国籍を示す情報を含む固有情報が記憶された記憶装置と、
前記記憶装置に記憶されている前記固有情報を特定の無線通信方式にて送信可能に構成された送信部と、
を備え、
前記画像処理装置は、さらに、前記特定の無線通信方式にて無線通信可能に構成された通信部を備え、
前記国籍取得処理は、前記通信部により受信された前記固有情報に基づいて前記国籍を取得する、
画像処理装置。
【請求項９】
請求項７又は請求項８に記載の画像処理装置であって、
さらに、少なくとも１つの国と当該少なくとも１つの国の各々に対応したパスポートのページ枚数とが対応付けられた国別ページ枚数情報が記憶された記憶部を備え、
前記第１取得処理は、前記記憶部に記憶されている前記国別ページ枚数情報に基づいて前記ページ枚数を取得する処理を含む、
画像処理装置。
【請求項１０】
原稿の画像を読み取る構成からなる読取部と、
画像を印刷する構成からなる印刷部と、
を備えた画像処理装置において用いられる画像処理方法であって、
読取予定ページ枚数を取得する読取予定取得ステップと、
読取要求が取得された場合に、前記読取部により前記原稿の画像を読み取る読取ステップと、
前記読取ステップにより読み取られた前記原稿のページ枚数を示す読取済ページ枚数を計数する計数ステップと、
印刷要求を取得する印刷要求取得ステップと、
前記印刷要求取得ステップにより前記印刷要求が取得された場合に、前記計数ステップにより計数されている前記読取済ページ枚数が、前記読取予定取得ステップにより取得された前記読取予定ページ枚数に一致しているとき、前記読取ステップにより読み取られた前記画像を前記印刷部により印刷する印刷ステップと、
を有する画像処理方法。
【発明の詳細な説明】
【技術分野】
【０００１】
本発明は、原稿の画像を読み取って印刷する技術に関する。
【背景技術】
【０００２】
特許文献１には、運転免許証、パスポート、健康保険証などの身分証明書をコピーする技術が開示されている。
パスポートは、一般に複数のページ枚数を有する。このようなパスポートが身分証明書として利用される場合、国あるいは利用目的などによっては、複数のページ（例えば全ページ）のコピーが要求されることもある。
【先行技術文献】
【特許文献】
【０００３】
【特許文献１】特開２０１４−１５８１６６号公報
【発明の概要】
【発明が解決しようとする課題】
【０００４】
パスポートのような複数のページを有するコピー対象物をコピーする場合、例えば、ページめくりに失敗して、コピーされないページが生じたり同じページを複数回コピーしたりすることが起こり得る。このようなコピーの失敗は、コピー効率の低下やコピーコストの増加などの問題を招く。
【０００５】
本発明は上記課題に鑑みなされたものであり、複数のページを有する原稿のコピーを、無駄なコストの発生を抑制しつつ効率よく行えるようにすることを目的とする。
【課題を解決するための手段】
【０００６】
本発明の画像処理装置は、入力部と、原稿の画像を読み取る構成からなる読取部と、画像を印刷する構成からなる印刷部と、制御部とを備える。制御部は、読取予定取得処理と、読取処理と、計数処理と、印刷要求取得処理と、印刷処理と、を実行する。
【０００７】
読取予定取得処理は、読取予定ページ枚数を取得する。読取処理は、入力部を介して読取要求が入力されることに応じて読取部により原稿の画像を読み取る。計数処理は、読取処理により読み取られた原稿のページ枚数を示す読取済ページ枚数を計数する。印刷要求取得処理は、入力部を介して印刷要求を取得する。
【０００８】
印刷処理は、印刷要求取得処理により印刷要求が取得された場合に、計数処理により計数されている読取済ページ枚数が、読取予定取得処理により取得された読取予定ページ枚数に一致しているとき、読取処理により読み取られた画像を印刷部により印刷する。
【０００９】
このように構成された画像処理装置では、例えば同じページが複数回読み取られているにもかかわらず印刷が実行されたり、逆に読み取られていないページが存在しているにもかかわらず印刷が実行されたりすることを、抑制できる。そのため、複数のページを有する原稿のコピーを、無駄なコストの発生を抑制しつつ効率よく行うことが可能となる。
【図面の簡単な説明】
【００１０】
【図１】実施形態の画像処理装置の構成を示すブロック図である。
【図２】パスポート情報テーブルを示す説明図である。
【図３】パスポートが画像処理装置の原稿台に載置される態様の一例を示す斜視図である。
【図４】パスポートコピーが実行される際の画面遷移例の一部を示す説明図である。
【図５】パスポートコピーが実行される際の画面遷移例の一部（図４の続き）を示す説明図である。
【図６】パスポートコピーが実行される際の画面遷移例の一部（図５の続き）を示す説明図である。
【図７】パスポートコピーが実行される際の画面遷移例の一部（図６の続き）を示す説明図である。
【図８】コピー処理を示すフローチャートの一部である。
【図９】コピー処理におけるＳ２６０の第１情報取得処理を示すフローチャートである。
【図１０】コピー処理におけるＳ２８０の第２情報取得処理を示すフローチャートである。
【図１１】コピー処理におけるＳ１５０，Ｓ２６５，Ｓ２８５のパスポートコピー処理の一部を示すフローチャートである。
【図１２】図１１のパスポートコピー処理の続きを示すフローチャートである。
【発明を実施するための形態】
【００１１】
以下、本発明の実施形態について、図面を参照しながら説明する。
［実施形態］
（１）画像処理装置の構成
図１に示す画像処理装置１は、原稿の画像を読み取ってその読み取った画像の画像データを生成するスキャン機能、記録用紙へ画像を印刷する印刷機能、スキャン機能により読み取られた画像を印刷機能によって記録用紙へ印刷するコピー機能、ファクシミリデータを送受信するファクス機能などの、複数の機能を備えている。
【００１２】
コピー機能には、パスポートコピー機能が含まれる。パスポートコピー機能は、パスポートなどのブック形式の原稿をスキャンし、スキャンした画像を、原稿と同じサイズのまま、規定数（例えば２つ）ずつ一枚の記録用紙の同一面にまとめて印刷する機能である。なお、一枚の記録用紙の表裏両面に印刷可能であってもよい。その場合、一枚の記録用紙に、規定数の２倍のスキャン画像を印刷させることができる。
【００１３】
図１に示すように、画像処理装置１は、制御部１１と、記憶部１２と、表示部１３と、入力部１４と、読取部１５と、印刷部１６と、第１通信部１７と、第２通信部１８とを備え、これらがバス２０を介して相互に接続されている。
【００１４】
本実施形態では、制御部１１はＣＰＵを有する。記憶部１２は、例えばＲＯＭ、ＲＡＭ、ＮＶＲＡＭ、フラッシュメモリなどの半導体メモリを有する。即ち、画像処理装置１は、ＣＰＵ及び半導体メモリを含むマイクロコンピュータを備えている。
【００１５】
制御部１１は、非遷移的実体的記録媒体に格納されたプログラムを実行することにより各種機能を実現する。本実施形態では、記憶部１２が、プログラムを格納した非遷移的実体的記録媒体に該当する。なお、制御部１１により実現される各種機能は、プログラムの実行によって実現することに限るものではなく、その一部又は全部について、一つあるいは複数のハードウェアを用いて実現してもよい。
【００１６】
記憶部１２には、図２に示すパスポート情報テーブルのデータ、及び図８〜図１２に示すコピー処理のプログラムが記憶されている。また、記憶部１２における特定のパーマネントエリアには、後述する読取予定ページ枚数Ｃｐ、読取済ページ枚数Ｒｐ、国籍入力設定値Ｐ、各種詳細パラメータ、などが記憶される。
【００１７】
図２に示すパスポート情報テーブルは、パスポートコピー機能が実行される際に制御部１１により参照される。パスポート情報テーブルは、国毎のパスポート情報を含む。具体的に、本実施形態では、パスポート情報には、パスポートの全ページ枚数、及び増刷枚数標準値（詳細は後述）が含まれる。なお、全ページ枚数は、表表紙及び裏表紙を除外したページ枚数である。ただし、全ページ枚数は、表表紙及び裏表紙を含むページ枚数であってもよい。
【００１８】
また、同じ国であっても有効期限が複数種類存在する場合は、有効期限毎に個別にパスポート情報が含まれる。例えば日本の場合、有効期限が１０年のパスポートと有効期限が５年のパスポートが存在する。そのため、パスポート情報テーブルにおいて、日本のパスポートのパスポート情報については、有効期限毎に個別に含まれている。
【００１９】
表示部１３は、各種情報を表示するための表示デバイスを有する。本実施形態の表示部１３は、表示デバイスとしてディスプレイ３を有する。
入力部１４は、各種入力操作を受け付けるための入力用デバイスを有する。本実施形態の入力部１４は、入力用デバイスとしてタッチパネル５を有する。タッチパネル５は、ディスプレイ３のほぼ全域に重畳して設けられている。ユーザは、タッチパネル５を介して、ディスプレイ３に表示されている画面における特定の位置を指定、選択することができる。
【００２０】
読取部１５は、イメージセンサ７を備える。スキャン機能又はコピー機能の実行が指示されると、イメージセンサ７により原稿の画像の読み取りが行われる。読取部１５は、イメージセンサ７から出力される、読みとった原稿の画像を示す電気信号に基づき、読み取った画像の画像を示す画像データを生成する。
【００２１】
印刷部１６は、インクジェット技術や電子写真技術を利用した印刷機構を有し、シート状の記録用紙に画像を印刷することが可能である。
第１通信部１７は、画像処理装置１を各種通信ネットワークに接続するための通信インタフェースである。第１通信部１７を介して接続可能な通信ネットワークは適宜決めてよく、例えば、ＬＡＮ、インターネット、公衆電話網などの各種通信ネットワークの少なくとも１つに接続可能であってもよい。
【００２２】
第２通信部１８は、他の通信端末と近距離無線通信を行うための無線通信インタフェースである。本実施形態では、第２通信部１８は、ＮＦＣ規格に基づく近距離無線通信を実行するように構成されている。「ＮＦＣ」は、「Ｎｅａｒ  Ｆｉｅｌｄ  Ｃｏｍｍｕｎｉｃａｔｉｏｎ」の略称である。
【００２３】
図３に示すように、画像処理装置１は、原稿を載置するための原稿台６を備える。原稿台６に原稿を載置してコピー機能を実行させることで、原稿の画像をコピーすることができる。
【００２４】
図３には、パスポート２００が例示されている。パスポート２００は、複数のページを有するブック形式にて構成されている。即ち、パスポート２００は、表表紙２０１及び裏表紙２０２を有し、さらに、第１ページ２１１、第２ページ２１２、第３ページ２１３、第４ページ２１４、・・・の複数のページを有する。
【００２５】
パスポート２００を原稿台６に載置してコピー機能を実行させることで、パスポート２００の各ページをコピーすることができる。図３は、パスポート２００が見開き状態で原稿台６に載置された状態を示している。見開き状態でコピー機能を実行させると、１回のスキャンで見開き２ページをスキャンすることができる。なお、見開き状態ではなく１ページ分ずつスキャンさせてもよい。
【００２６】
また、パスポート２００には、通信ユニット２２０が内蔵されている。通信ユニット２２０は、ＩＣチップ２２１と、アンテナ２２２とを備える。ＩＣチップ２２１には、データを読み書き可能なメモリが設けられている。そのメモリには、パスポートの国籍を示す国籍情報や、パスポートの有効期限を示す有効期限情報などの、各種の情報が記憶されている。
【００２７】
ＩＣチップ２２１は、アンテナ２２２を介して、特定の無線通信方式にて、外部の通信装置と無線通信を行うことができる。本実施形態では、ＩＣチップ２２１は、例えばＮＦＣ規格に基づく近距離無線通信を実行可能である。
【００２８】
したがって、通信ユニット２２０が画像処理装置１にかざされると、画像処理装置１は、第２通信部１８を介して通信ユニット２２０とＮＦＣによる無線通信を行うことができる。
なお、画像処理装置１に通信ユニット２２０を「かざす」とは、通信ユニット２２０のアンテナ２２２と第２通信部１８における不図示のアンテナとが互いに電波を送受でき、その結果通信ユニット２２０と画像処理装置１とがデータ通信を行うことが可能となるような位置関係となるように、通信ユニット２２０を画像処理装置１に近接させることを意味する。また、以下の説明においては、画像処理装置１にパスポート２００をかざす、と言う場合があるが、これは即ち、画像処理装置１に通信ユニット２２０をかざすことと同義である。
【００２９】
（２）パスポートコピーの実行例
パスポートコピーを実行させる際の手順及び画面遷移の具体例について、図４〜図７を参照して説明する。
【００３０】
画像処理装置１が起動すると、ディスプレイ３には、図４に示す待機画面３０が表示される。待機画面３０には、各種機能に対応した各種ボタンが表示される。本実施形態では、待機画面３０には、コピー機能を実行させるためのコピーボタン３１、スキャン機能を実行させるためのスキャンボタン３２、及びファクス機能を実行させるためのファクスボタン３３などが表示される。
【００３１】
待機画面３０が表示されている状態で、パスポート２００が画像処理装置１にかざされると、ディスプレイ３には、図５に示す読取開始画面５５が表示される。このとき、ＮＦＣ通信を介して、パスポート２００から国籍情報及び有効期限情報が取得される。そして、取得された国籍情報に基づき、図２のパスポート情報テーブルが参照されて、読取予定ページ枚数Ｃｐが算出される。
【００３２】
読取予定ページ枚数Ｃｐは、これから読み取る原稿のページ枚数を示す。本実施形態では、パスポートコピー機能においては、基本的に、パスポートの全ページをコピーするように構成されている。そのため、読取予定ページ枚数Ｃｐは、基本的には、パスポートの全ページ枚数に設定される。ただし、後述するように詳細パラメータ設定画面７０（図５）を介した各種詳細パラメータの設定に応じて、読取予定ページ枚数Ｃｐはパスポートの全ページ枚数とは異なる値に調整され得る。
【００３３】
待機画面３０におけるコピーボタン３１が選択（例えばタッチパネル５を介したタップ操作）されると、コピー機能を実行させるための手順に進む。具体的に、コピー設定画面４０が表示される。コピー設定画面４０には、コピー機能に関する各種の設定項目に対応した複数のボタンが表示される。複数のボタンには、パスポートコピー機能におけるＩＤコピー（パスポート）設定値を設定するためのＩＤコピー（パスポート）ボタン４１が含まれる。
【００３４】
ＩＤコピー（パスポート）ボタン４１が選択されると、ディスプレイ３には、ＩＤコピー（パスポート）設定画面４５が表示される。ＩＤコピー（パスポート）設定画面４５は、パスポートの国籍情報の入力方法をユーザに選択させるための画面であり、国選択実行ボタン４６及びＮＦＣ利用ボタン４７が表示される。
【００３５】
国選択実行ボタン４６が選択されると、ＩＤコピー（パスポート）設定値が「オン（国選択）」に設定され、コピー設定画面４０に戻る。このとき、ＩＤコピー（パスポート）ボタン４１には、ＩＤコピー（パスポート）設定値が「オン（国選択）」に設定されていることを示す情報（図４では不図示）が表示される。
【００３６】
ＩＤコピー（パスポート）設定画面４５において、ＮＦＣ利用ボタン４７が選択されると、ＩＤコピー（パスポート）設定値が「オン（ＮＦＣ）」に設定され、コピー設定画面４０に戻る。このとき、ＩＤコピー（パスポート）ボタン４１には、ＩＤコピー（パスポート）設定値が「オン（ＮＦＣ）」に設定されていることを示す情報（図４では不図示）が表示される。
【００３７】
コピー設定画面４０において、ＩＤコピー（パスポート）設定値が「オン（国選択）」に設定されている状態でスタートボタン４２が選択されると、ディスプレイ３には、国選択画面６０が表示される。
【００３８】
国選択画面６０には、パスポートの国籍をユーザに選択させるための、国毎の国選択ボタン６１〜６５、・・・が表示される。何れかの国選択ボタンが選択されてＯＫボタン６９が選択されると、ディスプレイ３には、図５に示す読取開始画面５５が表示される。このとき、選択された国選択ボタンに対応した国籍に基づき、図２のパスポート情報テーブルが参照されて、読取予定ページ枚数Ｃｐが算出される。
【００３９】
コピー設定画面４０において、ＩＤコピー（パスポート）設定値が「オン（ＮＦＣ）」に設定されている状態でスタートボタン４２が選択されると、ディスプレイ３には、パスポートかざし画面５０が表示される。
【００４０】
パスポートかざし画面５０は、パスポートを画像処理装置１にかざすことをユーザに促すメッセージを含む。パスポートかざし画面５０が表示されている状態においてパスポートがかざされると、ディスプレイ３には、図５に示す読取開始画面５５が表示される。このとき、ＮＦＣ通信を介して、パスポート２００から国籍情報及び有効期限情報が取得される。そして、取得された国籍情報に基づき、図２のパスポート情報テーブルが参照されて、読取予定ページ枚数Ｃｐが算出される。
【００４１】
図５に示すように、読取開始画面５５には、詳細オプションボタン５６と、スタートボタン５７とが表示される。詳細オプションボタン５６が選択されると、ディスプレイ３には、詳細パラメータ設定画面７０が表示される。
【００４２】
詳細パラメータ設定画面７０においては、パスポートコピー機能を実行させる際に、表表紙をコピーさせるか否か、裏表紙をコピーさせるか否か、増刷、即ち全ページ枚数よりも多い枚数をコピーさせるか否か、見開き状態でコピーさせるか否か、などを任意に設定することができる。
【００４３】
詳細パラメータ設定画面７０には、表表紙設定チェックボックス７１と、裏表紙設定チェックボックス７２と、増刷なしボタン７３と、標準増刷設定ボタン７４と、カスタム増刷設定ボタン７５と、増刷枚数入力ボックス７６と、見開き設定チェックボックス７７とが表示される。
【００４４】
表表紙設定チェックボックス７１は、後述する表表紙印刷設定値Ｐｓをオン又はオフに設定するために設けられている。ユーザは、表表紙設定チェックボックス７１を例えばタップ操作することにより、表表紙設定チェックボックス７１を、チェックマークが表示された選択状態、又はチェックマークが表示されない非選択状態にすることができる。表表紙設定チェックボックス７１が選択状態にされると、表表紙印刷設定値Ｐｓがオンに設定される。表表紙設定チェックボックス７１が非選択状態にされると、表表紙印刷設定値Ｐｓがオフに設定される。
【００４５】
裏表紙設定チェックボックス７２は、後述する裏表紙印刷設定値Ｐｅをオン又はオフに設定するために設けられている。ユーザは、裏表紙設定チェックボックス７２を例えばタップ操作することにより、裏表紙設定チェックボックス７２を選択状態又は非選択状態にすることができる。裏表紙設定チェックボックス７２が選択状態にされると、裏表紙印刷設定値Ｐｅがオンに設定される。裏表紙設定チェックボックス７２が非選択状態にされると、裏表紙印刷設定値Ｐｅがオフに設定される。
【００４６】
本実施形態で「増刷」とは、パスポート情報テーブルに設定されている規定ページ数よりも多いページ枚数をスキャンして印刷させることを意味する。増刷なしボタン７３、標準増刷設定ボタン７４及びカスタム増刷設定ボタン７５は、増刷するか否か、増刷する場合は具体的にどの程度のページ枚数を増刷するか、を選択するためのボタンである。増刷なしボタン７３、標準増刷設定ボタン７４及びカスタム増刷設定ボタン７５は、これら３つのうちいずれか１つのみが、例えばタップ操作により選択され得る。
【００４７】
増刷なしボタン７３が選択されると、増刷は行われないものとして設定される。この場合、後述する増刷設定値Ｐｐがオフに設定される。
標準増刷設定ボタン７４が選択されると、パスポートの全ページ数に加えて、パスポート情報テーブルにおいて増刷枚数標準値として設定されている枚数がさらに増刷されるものとして設定される。この場合、増刷設定値Ｐｐがオンに設定される。
【００４８】
カスタム増刷設定ボタン７５が選択されると、パスポートの全ページ数に加えて、増刷枚数入力ボックス７６に入力された枚数がさらに増刷されるものとして設定される。この場合、増刷設定値Ｐｐがオンに設定され、後述する増刷カスタム値Ｎｐがその入力された枚数に設定される。
【００４９】
見開き設定チェックボックス７７は、後述する見開き印刷設定値Ｐｏをオン又はオフに設定するために設けられている。ユーザは、見開き設定チェックボックス７７を例えばタップ操作することにより、見開き設定チェックボックス７７を選択状態又は非選択状態にすることができる。見開き設定チェックボックス７７が選択状態にされると、見開き印刷設定値Ｐｏがオンに設定される。見開き設定チェックボックス７７が非選択状態にされると、見開き印刷設定値Ｐｏがオフに設定される。
【００５０】
詳細パラメータ設定画面７０におけるＯＫボタン７８が選択されると、ディスプレイ３には、読取開始画面５５が表示される。読取開始画面５５におけるスタートボタン５７が選択されると、原稿台６に載置されている原稿のスキャンが開始される。なお、スキャン開始前に、詳細パラメータの設定値に基づいて、読取予定ページ枚数Ｃｐが再計算される。
【００５１】
即ち、表表紙印刷設定値Ｐｓ、裏表紙印刷設定値Ｐｅ、増刷設定値Ｐｐ、増刷カスタム値Ｎｐ、及び見開き印刷設定値Ｐｏに基づいて、パスポートの全ページ枚数を基準とした調整値が算出される。そして、読取予定ページ数Ｃｐが、パスポートの全ページ枚数にその調整値を加算した値に調整される。
【００５２】
本実施形態では、調整値は、例えば表１のように算出される。
【００５３】
【表１】
2020053938.tif 000003
例えば、表表紙印刷設定値Ｐｓがオンにされ、その他の設定値が全てオフに設定されていることを想定する。この場合、表表紙もコピーしたいというユーザの意思によって表表紙もコピーされると考えられる。そのため、表表紙に対応したページ枚数である「１」が調整値として算出され、読取予定ページ数Ｃｐの初期値（即ちパスポートの全ページ枚数）に加算される。なお、増刷設定値Ｐｐがオンに設定されている場合は、さらにその増刷枚数に対応したページ枚数である増刷枚数が加算される。
【００５４】
原稿のスキャンの実行中は、ディスプレイ３には読取中画面８０が表示される。原稿のスキャンが終了すると、スキャン完了したページ枚数の累積値を示す読取済ページ枚数Ｒｐが更新され、ディスプレイ３に、次処理選択画面８５が表示される。
【００５５】
次処理選択画面８５には、スキャンボタン８６と、印刷ボタン８７と、プレビューボタン８８とが表示される。次処理選択画面８５には、さらに、読取予定ページ枚数Ｃｐと、現時点における読取済ページ枚数Ｒｐと、が表示される。図５に示す次処理選択画面８５には、「１／４０」と表示されているが、このうち「４０」が読取予定ページ枚数Ｃｐを表し、「１」が読取済ページ枚数Ｒｐを表す。
【００５６】
プレビューボタン８８が選択されると、これまでスキャンされたページのプレビュー画像が表示される。ユーザは、現時点までにスキャンされた画像を確認することができる。
図５に示す次処理選択画面８５は、４０枚のうちの１枚目のスキャンが完了した状態であることを示している。このように読取済ページ枚数Ｒｐがまだ読取予定ページ枚数Ｃｐに達していない状態で、印刷ボタン８７が選択されると、読取数不足画面９０が表示される。
【００５７】
読取数不足画面９０は、予定されているページ枚数、即ち読取予定ページ枚数Ｃｐのスキャンがまだ完了していないことを示すメッセージと共に、ＯＫボタン９１、戻るボタン９２、及びプレビューボタン９３が表示される。
【００５８】
プレビューボタン９３が選択されると、これまでスキャンされたページのプレビュー画像が表示される。戻るボタン９２が選択されると、次処理選択画面８５に戻る。ＯＫボタン９１が選択されると、現時点までにスキャンされた画像が印刷部１６により印刷される。印刷中は、図６に示す印刷中画面９５が表示され、印刷が完了すると、規定の画面（例えば待機画面３０）が表示される。
【００５９】
次処理選択画面８５において、スキャンボタン８６が選択されると、スキャンが開始される。ユーザは、パスポート２００における次にスキャンさせるページを原稿台６にセットしてスキャンボタン８６を選択することで、新たなページのスキャンを進めることができる。
【００６０】
図５に示す次処理選択画面８５において、スキャンボタン８６が選択されると、スキャンが開始されると共に、スキャン実行中は図６に示すように読取中画面８０が表示される。スキャンが完了すると、再び次処理選択画面８５が表示される。このとき、読取済ページ枚数Ｒｐが加算されて「２」とされている。なお、見開き印刷設定値Ｐｏがオンに設定されている場合は、一度に見開き２ページがスキャンされるため、１回スキャンされる毎に読取済ページ枚数Ｒｐは２ずつ加算されていく。
【００６１】
図６における、読取済ページ枚数Ｒｐが「２」と表示されている次処理選択画面８５において、印刷ボタン８７が選択されると、図５で説明したように、読取数不足画面９０が表示される。
【００６２】
ユーザは、読取済ページ枚数Ｒｐが読取予定ページ枚数Ｃｐに達するまで、次処理選択画面８５においてスキャンボタン８６を選択することで、読取予定ページ枚数Ｃｐ全ての読取を完了させることができる。図６において読取済ページ枚数Ｒｐが読取予定ページ枚数Ｃｐと同じ「４０」と表示されている次処理選択画面８５において、印刷ボタン８７が選択されると、印刷中画面９５が表示され、スキャンした全画像の印刷が開始される。
【００６３】
一方、読取済ページ枚数Ｒｐが読取予定ページ枚数Ｃｐに到達した状態でさらにスキャンボタン８６が選択されると、図７に示す読取数オーバー画面１００が表示される。読取数オーバー画面１００は、読取予定ページ枚数Ｃｐを超えたスキャンが実行されようとしていることを示すメッセージと共に、ＯＫボタン９１、戻るボタン９２、及びプレビューボタン９３が表示される。ここで戻るボタン９２が選択されると、次処理選択画面８５に戻るが、ＯＫボタン９１が選択されると、スキャンが開始される。この結果、次に表示される次処理選択画面８５においては、図７に「４１／４０」と例示されているように、読取済ページ枚数Ｒｐが読取予定ページ枚数Ｃｐを超えた状態となる。
【００６４】
（３）コピー処理
次に、上述したパスポートコピー機能を含む、コピー機能を実現するために、制御部１１によって実行されるコピー処理について、図８〜図１２を参照して説明する。制御部１１は、起動後、記憶部１２からコピー処理のプログラムを読み込んで実行する。
【００６５】
図８を参照して説明する。制御部１１は、コピー処理を開始すると、Ｓ１１０で、ディスプレイ３に待機画面３０を表示する。Ｓ１２０では、パスポートの近接が検知されたか否か、即ちパスポートがかざされたか否か判断する。パスポートがかざされたか否かは、例えば、第２通信部１８によるＮＦＣ通信を介して所定のデータが受信されたか否かに基づいて判断してもよい。
【００６６】
パスポートがかざされた場合は、Ｓ１３０に移行する。Ｓ１３０では、ＮＦＣ通信を介して、パスポートから国籍情報及び有効期限情報を取得する。Ｓ１４０では、パスポート情報テーブルから、Ｓ１３０で取得した各情報に対応した全ページ枚数を、読取予定ページ枚数Ｃｐとして取得する。具体的には、取得した国籍情報に基づいて、パスポート情報テーブル（図２）から、対応するパスポート全ページ枚数を取得する。その取得したパスポート全ページ枚数を、読取予定ページ枚数Ｃｐの初期値として取得する。Ｓ１５０では、パスポートコピー処理（図１１）を実行する。パスポートコピー処理が終了すると、Ｓ１１０に移行する。
【００６７】
Ｓ１２０で、パスポートがかざされていない場合は、Ｓ１６０に移行する。Ｓ１６０では、待機画面３０においてコピーボタン３１がタップ（即ち選択）されたか否か判断する。コピーボタン３１がタップされない場合はＳ１１０に移行する。コピーボタン３１がタップされた場合は、Ｓ１７０に移行する。
【００６８】
Ｓ１７０では、ディスプレイ３にコピー設定画面４０を表示する。Ｓ１８０では、コピー設定画面４０において、ＩＤコピー（パスポート）ボタン４１が選択されたか否かを判断する。ＩＤコピー（パスポート）ボタン４１が選択された場合は、Ｓ１９０に移行する。
【００６９】
Ｓ１９０では、ディスプレイ３にＩＤコピー（パスポート）設定画面４５を表示する。Ｓ２００では、ＩＤコピー（パスポート）設定画面４５において国選択実行ボタン４６が選択されたか否かを判断する。国選択実行ボタン４６が選択されない場合は、Ｓ２２０に移行する。国選択実行ボタン４６が選択された場合は、Ｓ２１０に移行する。
【００７０】
Ｓ２１０では、国籍入力設定値Ｐを「オン（国選択）」に設定する。Ｓ２１０の処理後はＳ１７０に移行する。
Ｓ２２０では、ＩＤコピー（パスポート）設定画面４５においてＮＦＣ利用ボタン４７が選択されたか否かを判断する。ＮＦＣ利用ボタン４７が選択されない場合は、Ｓ２００に移行する。ＮＦＣ利用ボタン４７が選択された場合は、Ｓ２３０に移行する。Ｓ２３０では、国籍入力設定値Ｐを「オン（ＮＦＣ）」に設定する。Ｓ２３０の処理後はＳ１７０に移行する。
【００７１】
Ｓ１８０で、ＩＤコピー（パスポート）ボタン４１が選択されていない場合は、Ｓ２４０に移行する。Ｓ２４０では、コピー設定画面４０においてスタートボタン４２がタップされたか否か判断する。スタートボタン４２がタップされていない場合は、Ｓ１７０に移行する。スタートボタン４２がタップされた場合は、Ｓ２５０に移行する。
【００７２】
Ｓ２５０では、国籍入力設定値Ｐが「オン（国選択）」に設定されているか否か判断する。国籍入力設定値Ｐが「オン（国選択）」に設定されている場合は、Ｓ２６０に移行する。Ｓ２６０では、図９に示す第１情報取得処理を実行する。即ち、Ｓ３１０にて、国選択画面６０を表示する。Ｓ３２０では、国籍の入力を受け付ける。具体的に、国選択画面６０においていずれかの国が選択されたか否か、即ちいずれかの国選択ボタンが選択されたか否か判断する。何れかの国が選択された場合、Ｓ３３０に移行する。
【００７３】
Ｓ３３０では、選択された国選択ボタンが示す国籍に基づいて、パスポート情報テーブルから、対応するパスポート全ページ枚数を取得する。その取得したパスポート全ページ枚数を、読取予定ページ枚数Ｃｐの初期値として取得する。Ｓ３３０の処理後は、Ｓ２６５（図８）に移行し、パスポートコピー処理（図１１）を実行する。
【００７４】
Ｓ２５０で、国籍入力設定値Ｐが「オン（国選択）」に設定されていない場合は、Ｓ２７０に移行する。Ｓ２７０では、国籍入力設定値Ｐが「オン（ＮＦＣ）」に設定されているか否か判断する。国籍入力設定値Ｐが「オン（ＮＦＣ）」に設定されていない場合は、Ｓ２９０に移行し、パスポートコピー機能とは別の通常のコピー処理を実行する。そして、その通常のコピー処理が完了すると、Ｓ１１０に移行する。
【００７５】
Ｓ２７０で、国籍入力設定値Ｐが「オン（ＮＦＣ）」に設定されている場合は、Ｓ２８０に移行する。Ｓ２８０では、図１０に示す第２情報取得処理を実行する。即ち、Ｓ４１０にて、パスポートかざし画面５０を表示する。Ｓ４２０では、Ｓ１２０と同様に、パスポートがかざされたか否か判断する。パスポートがかざされていない場合はＳ４１０に移行する。パスポートがかざされた場合はＳ４３０に移行する。
【００７６】
Ｓ４３０では、Ｓ１３０と同様に、ＮＦＣ通信を介して、パスポートから国籍情報及び有効期限情報を取得する。Ｓ４４０では、パスポート情報テーブルから、Ｓ４３０で取得した各情報に対応したパスポート全ページ枚数を、読取予定ページ枚数Ｃｐの初期値として取得する。Ｓ４４０の処理後は、Ｓ２８５（図８）に移行し、パスポートコピー処理（図１１）を実行する。
【００７７】
次に、Ｓ１５０、Ｓ２６５及びＳ２８５のパスポートコピー処理について、図１１を参照して説明する。パスポートコピー処理に移行すると、Ｓ５１０で、読取済ページ枚数Ｒｐを０に設定する。Ｓ５２０では、読取開始画面５５を表示する。
【００７８】
Ｓ５３０では、読取開始画面５５において詳細オプションボタン５６がタップされたか否か判断する。詳細オプションボタン５６がタップされた場合は、Ｓ５４０に進む。Ｓ５４０では、前述の各種詳細パラメータＰｓ、Ｐｅ、Ｐｐ、Ｎｐ、Ｐｏをそれぞれ所定の初期値に設定する。本実施形態では、各詳細パラメータの初期値は、例えば、Ｐｓがオン、Ｐｅがオン、Ｐｐがオフ、Ｎｐが０、Ｐｏがオン、に設定される。なお、これら初期値は一例であって、初期値は他の値であってもよい。
【００７９】
Ｓ５５０では、詳細パラメータ設定画面７０を表示する。ここで表示される詳細パラメータ設定画面７０の内容は、Ｓ５４０で設定した各初期値が反映される。Ｓ５６０では、詳細パラメータ設定処理を行う。即ち、詳細パラメータ設定画面７０に対するユーザの入力操作を受け付ける。
【００８０】
Ｓ５７０では、詳細パラメータ設定画面７０においてＯＫボタン７８がタップされたか否か判断する。ＯＫボタン７８がタップされていない場合は、Ｓ５６０に移行する。ＯＫボタン７８がタップされた場合は、Ｓ５１０に移行する。
【００８１】
Ｓ５３０で、詳細オプションボタン５６がタップされない場合は、Ｓ５８０に移行する。Ｓ５８０では、読取開始画面５５においてスタートボタン５７がタップされたか否か判断する。スタートボタン５７がタップされない場合はＳ５２０に移行する。スタートボタン５７がタップされた場合はＳ５９０に移行する。
【００８２】
Ｓ５９０では、現時点で設定されている各種詳細パラメータに基づいて、読取予定ページ枚数Ｃｐを再計算する。この再計算は、表１を参照して前述したように、読取予定ページ枚数Ｃｐの初期値に対し、各種詳細パラメータに応じた調整値を加算することにより行われる。Ｓ５９０の処理後は、Ｓ６００（図１２）に移行する。
【００８３】
Ｓ６００では、読取処理を実行する。即ち、読取部１５に原稿の画像を読み取らせる。読取処理の実行中は、読取中画面８０を表示させる。読み取りが終了すると、Ｓ６１０で、見開き印刷設定値Ｐｏがオンに設定されているか否か判断する。見開き印刷設定値Ｐｏがオンに設定されていない場合は、Ｓ６２０で、読取済ページ枚数Ｒｐの値を１つインクリメントして、Ｓ６４０に移行する。見開き印刷設定値Ｐｏがオンに設定されている場合は、Ｓ６３０で、読取済ページ枚数Ｒｐの値を２つインクリメントして、Ｓ６４０に移行する。
【００８４】
Ｓ６４０では、次処理選択画面８５を表示する。ここでは、図５〜図７に例示したように、現時点での読取済ページ枚数Ｒｐ（例えば、１）と、読取予定ページ枚数Ｃｐ（例えば、４０）とが表示される。
【００８５】
Ｓ６５０では、次処理選択画面８５においてスキャンボタン８６がタップされたか否か判断する。スキャンボタン８６がタップされた場合は、Ｓ６６０に移行する。Ｓ６６０では、現在の読取済ページ枚数Ｒｐが読取予定ページ枚数Ｃｐと同値であるか否か判断する。読取済ページ枚数Ｒｐが読取予定ページ枚数Ｃｐと同値でない場合は、Ｓ６００に移行する。読取済ページ枚数Ｒｐが読取予定ページ枚数Ｃｐと同値である場合は、Ｓ６７０に移行する。
【００８６】
Ｓ６７０では、読取数オーバー画面１００を表示する。Ｓ６８０では、読取数オーバー画面１００においてＯＫボタン９１がタップされたか否か判断する。ＯＫボタン９１がタップされた場合はＳ６００に移行し、読取処理を実行する。ＯＫボタン９１がタップされない場合は、Ｓ６９０に移行する。
【００８７】
Ｓ６９０では、読取数オーバー画面１００において戻るボタン９２がタップされたか否か判断する。戻るボタン９２がタップされた場合はＳ６４０に移行し、次処理選択画面８５を表示し、戻るボタン９２がタップされない場合はＳ７００に移行する。Ｓ７００では、読取数オーバー画面１００においてプレビューボタン９３がタップされたか否か判断する。プレビューボタン９３がタップされない場合はＳ６７０に移行する。プレビューボタン９３がタップされた場合はＳ７７０に移行する。Ｓ７７０では、現時点までの読み取られた原稿の画像をプレビュー表示する。プレビュー表示後、所定のプレビュー終了操作が行われると、Ｓ６４０に移行する。
【００８８】
Ｓ６５０で、スキャンボタン８６がタップされない場合は、Ｓ７１０に移行する。Ｓ７１０では、次処理選択画面８５において印刷ボタン８７がタップされたか否か判断する。印刷ボタン８７がタップされない場合はＳ６４０に移行する。印刷ボタン８７がタップされた場合は、Ｓ７２０に移行する。
【００８９】
Ｓ７２０では、現在の読取済ページ枚数Ｒｐが読取予定ページ枚数Ｃｐより小さいか否か判断する。現在の読取済ページ枚数Ｒｐが読取予定ページ枚数Ｃｐより小さくない場合は、Ｓ７８０で、印刷処理を実行する。即ち、読取済ページ枚数Ｒｐの全画像を印刷部１６にて印刷する。
【００９０】
なお、Ｓ７２０で、現在の読取済ページ枚数Ｒｐが読取予定ページ枚数Ｃｐより小さくないと判断されるのは、基本的には、Ｒｐ＝Ｃｐとなっているときである。ただし、Ｓ６８０で肯定判定されて読取予定ページ枚数Ｃｐを超える枚数がスキャンされることも生じ得る。その場合も、Ｓ７２０の処理においてはＳ７８０に移行し、印刷処理が実行される。つまり、本実施形態では、読取予定ページ枚数よりも多い枚数がスキャンされた場合であってもそれらの印刷が許容される。
【００９１】
Ｓ７２０で、現在の読取済ページ枚数Ｒｐが読取予定ページ枚数Ｃｐより小さいと判断された場合は、Ｓ７３０に移行する。Ｓ７３０では、読取数不足画面９０を表示する。Ｓ７４０では、読取数不足画面９０においてＯＫボタン９１がタップされたか否か判断する。ＯＫボタン９１がタップされた場合は、Ｓ７８０に移行する。ＯＫボタン９１がタップされない場合は、Ｓ７５０に移行する。
【００９２】
Ｓ７５０では、読取数不足画面９０において戻るボタン９２がタップされたか否か判断する。戻るボタン９２がタップされた場合はＳ６４０に移行して次処理選択画面８５を表示し、戻るボタン９２がタップされない場合はＳ７６０に移行する。Ｓ７６０では、読取数不足画面９０においてプレビューボタン９３がタップされたか否か判断する。プレビューボタン９３がタップされない場合はＳ７３０に移行する。プレビューボタン９３がタップされた場合はＳ７７０に移行する。
【００９３】
（４）実施形態の効果
本実施形態の画像処理装置１では、読取予定ページ枚数Ｃｐを設定する一方、画像の読み取り時には読取済ページ枚数Ｒｐが計数される。そして、印刷要求が取得された場合に、計数されている読取済ページ枚数Ｒｐが読取予定ページ枚数Ｃｐに一致しているとき、読み取られた画像が印刷される。
【００９４】
このような構成により、例えば同じページが複数回読み取られているにもかかわらず印刷が実行されたり、逆に読み取られていないページが存在しているにもかかわらず印刷が実行されたりすることを、抑制できる。そのため、複数のページを有する原稿のコピーを、無駄なコストの発生を抑制しつつ効率よく行うことが可能となる。
【００９５】
なお、本実施形態では、読取済ページ枚数Ｒｐが読取予定ページ枚数Ｃｐを超えている場合でも、読み取られた画像が印刷される。そのため、ユーザは、読取予定ページ枚数Ｃｐを超える枚数を意図的にコピーすることもできる。
【００９６】
また、本実施形態では、印刷ボタン８７がタップされたとき、読取済ページ枚数Ｒｐと読取予定ページ枚数Ｃｐとの大小関係に応じた適切な処理が行われる。そのため、ユーザによるパスポートコピーの失敗を抑制することができる。
【００９７】
なお、本実施形態において、第２通信部１８は通信部の一例に相当する。パスポート情報テーブル（図２）は国別ページ数情報の一例に相当する。読取数不足画面９０は不足情報の一例に相当する。読取数オーバー画面１００は過剰情報の一例に相当する。ＩＣチップ２２１は記憶装置の一例に相当する。ＩＣチップ２２１及びアンテナ２２２は送信部の一例に相当する。ＩＣチップ２２１に記憶されている国籍情報及び有効期限情報は固有情報の一例に相当する。
【００９８】
また、Ｓ１３０，Ｓ３２０，Ｓ４３０の処理は国籍取得処理の一例に相当する。Ｓ１４０，Ｓ３３０，Ｓ４４０，Ｓ５９０の処理は、読取予定取得処理の一例に相当し、このうち特にＳ１４０，Ｓ３３０，Ｓ４４０は第１取得処理及び第２取得処理の一例にも相当する。Ｓ３３０の処理は第１取得処理及び第２取得処理の一例に相当する。Ｓ６００の処理は読取処理の一例に相当する。Ｓ６２０，Ｓ６３０の処理は計数処理の一例に相当する。Ｓ６４０の処理はページ枚数表示処理の一例に相当する。Ｓ６７０の処理は過剰情報出力処理の一例に相当する。Ｓ７００，Ｓ７６０の処理はプレビュー要求取得処理の一例に相当する。Ｓ７１０の処理は印刷要求取得処理の一例に相当する。Ｓ７３０の処理は不足情報出力処理の一例に相当する。Ｓ７８０の処理は印刷処理の一例に相当する。
【００９９】
［２．他の実施形態］
以上、本発明の実施形態について説明したが、本発明は上述の実施形態に限定されることなく、種々変形して実施することができる。
【０１００】
（１）読取予定ページ枚数Ｃｐはどのように算出されてもよい。例えば、ブック形式の原稿を見開きで読み取ることを前提とする場合、見開き２ページ分を１枚として読取予定ページ枚数Ｃｐを算出してもよい。
【０１０１】
読取済ページ枚数Ｒｐのカウント方式についても、図１２のＳ６２０，Ｓ６３０に示したカウント方式は一例であって、読取予定ページ枚数Ｃｐの算出方法に対応したカウント方式にてカウントするようにしてもよい。
【０１０２】
（２）Ｓ６６０では、印刷済ページ枚数Ｒｐが印刷予定ページ枚数Ｃｐ以上か否か、を判断するようにしてもよい。
（３）Ｓ７２０では、Ｒｐ＝Ｃｐである場合、即ち読取済ページ枚数Ｒｐが読取予定ページ枚数Ｃｐに一致している場合に、Ｓ７８０に移行して印刷処理を実行するようにしてもよい。
【０１０３】
この場合、Ｒｐ＞Ｃｐである場合は、例えば、読取済ページ枚数Ｒｐが読取予定ページ枚数Ｃｐより多いことを示す情報をユーザに提供し、印刷を実行してもよいか否かをユーザに問い合わせてもよい。そして、印刷を実行してもよいことを示すユーザの指示が入力された場合に印刷を実行するようにしてもよい。
【０１０４】
（４）ＮＦＣ通信にて、パスポートからページ枚数を示す情報が取得されてもよい。この場合、Ｓ１４０及びＳ４４０では、取得されたページ枚数を示す情報に基づいて読取予定ページ枚数Ｃｐを設定してもよい。
【０１０５】
（５）無線通信によりページ枚数を取得する場合において、ＮＦＣとは異なる無線通信方式の無線通信を利用して取得してもよい。例えば、ＩＥＥＥ８０２．１１規格に準拠した無線通信方式の無線通信を利用して取得可能であってもよい。
【０１０６】
（６）本発明が適用可能な原稿はパスポート２００に限定されない。パスポート２００とは異なる原稿をコピーする場合においても本発明を適用可能である。また、原稿のページ枚数はどのようなページ枚数であってもよい。
【０１０７】
また、パスポートコピー機能は、読み取った画像のサイズを拡大又は縮小して、即ち原稿のサイズとは異なるサイズで、印刷できるように構成されていてもよい。
（７）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本発明の実施形態である。
【符号の説明】
【０１０８】
１…画像処理装置、３…ディスプレイ、５…タッチパネル、６…原稿台、１１…制御部、１２…記憶部、１３…表示部、１４…入力部、１５…読取部、１６…印刷部、１７…第１通信部、１８…第２通信部、３０…待機画面、３１…コピーボタン、４０…コピー設定画面、４５…ＩＤコピー（パスポート）設定画面、５０…パスポートかざし画面、５５…読取開始画面、６０…国選択画面、７０…詳細パラメータ設定画面、８０…読取中画面、８５…次処理選択画面、９０…読取数不足画面、９５…印刷中画面、１００…読取数オーバー画面、２００…パスポート、２０１…表表紙、２０２…裏表紙、２２０…通信ユニット、２２１…ＩＣチップ、２２２…アンテナ。
【図１】
2020053938.tif 000004
【図２】
2020053938.tif 000005
【図３】
2020053938.tif 000006
【図４】
2020053938.tif 000007
【図５】
2020053938.tif 000008
【図６】
2020053938.tif 000009
【図７】
2020053938.tif 000010
【図８】
2020053938.tif 000011
【図９】
2020053938.tif 000012
【図１０】
2020053938.tif 000013
【図１１】
2020053938.tif 000014
【図１２】
2020053938.tif 000015